(57)【要約】【課題】耕耘爪の付け間違いを抑制できる農作業機を提供する。【解決手段】農作業機１は、所定方向に回転しながら耕耘作業をする耕耘体３を備える。耕耘体３は、回転軸21の外周面に突設した板状のフランジ30を有する。フランジ30の第１耕耘爪取付部31には第１耕耘爪36を取り付ける。フランジ30の第２耕耘爪取付部32には第２耕耘爪37を取り付ける。フランジ30の耕耘爪取付部31，32には、耕耘爪用目印61，62を設ける。【選択図】図５
2015180232.tif 000002
【特許請求の範囲】
【請求項１】
機体と、
この機体に回転可能に設けられ、回転しながら耕耘作業をする耕耘体と、
この耕耘体の後方で整地作業をする整地体とを備え、
前記耕耘体は、
前記機体に回転可能に設けられた回転軸と、
この回転軸の外周面に突設され、第１耕耘爪取付部および第２耕耘爪取付部を有する板状のフランジと、
前記第１耕耘爪取付部に脱着可能に取り付けられた第１耕耘爪と、
前記第２耕耘爪取付部に脱着可能に取り付けられ、前記第１耕耘爪とは異なる形状の第２耕耘爪とを有し、
前記フランジには、耕耘爪用目印が設けられている
ことを特徴とする農作業機。
【請求項２】
耕耘爪用目印は、フランジの第１耕耘爪取付部に設けられている
ことを特徴とする請求項１記載の農作業機。
【請求項３】
耕耘爪用目印は、フランジの第１耕耘爪取付部に取り付けられた第１耕耘爪と側面視で重なるように設けられている
ことを特徴とする請求項２記載の農作業機。
【請求項４】
耕耘爪用目印は、フランジの第２耕耘爪取付部に設けられている
ことを特徴とする請求項１記載の農作業機。
【請求項５】
耕耘爪用目印は、フランジの第２耕耘爪取付部に取り付けられた第２耕耘爪と側面視で重なるように設けられている
ことを特徴とする請求項４記載の農作業機。
【請求項６】
第１耕耘爪の色と第２耕耘爪の色とが、互いに異なっている
ことを特徴とする請求項１ないし５のいずれか一記載の農作業機。
【発明の詳細な説明】
【技術分野】
【０００１】
本発明は、耕耘爪の付け間違いを抑制できる農作業機に関するものである。
【背景技術】
【０００２】
従来、例えば特許文献１に記載された農作業機が知られている。
【０００３】
この従来の農作業機は、走行車であるトラクタの後部に連結される機体と、この機体に回転可能に設けられ回転しながら耕耘作業をする耕耘体と、この耕耘体の後方で整地作業をする整地体とを備えている。
【０００４】
また、耕耘体は、機体に回転可能に設けられた回転軸と、この回転軸の外周面に突設され第１耕耘爪取付部および第２耕耘爪取付部を有するフランジと、第１耕耘爪取付部に脱着可能に取り付けられた第１耕耘爪（例えば左耕耘爪）と、第２耕耘爪取付部に脱着可能に取り付けられ第１耕耘爪とは異なる形状の第２耕耘爪（例えば右耕耘爪）とを有している。
【先行技術文献】
【特許文献】
【０００５】
【特許文献１】特開２００１−９５３０５号公報（図２）
【発明の概要】
【発明が解決しようとする課題】
【０００６】
しかしながら、上記従来の農作業機では、例えば耕耘爪の交換時等において、第１耕耘爪を間違えてフランジの第２耕耘爪取付部に取り付けたり第２耕耘爪を間違えてフランジの第１耕耘爪取付部に取り付けたりする耕耘爪の付け間違いを生じるおそれがある。
【０００７】
本発明は、このような点に鑑みなされたもので、耕耘爪の付け間違いを抑制できる農作業機を提供することを目的とする。
【課題を解決するための手段】
【０００８】
請求項１記載の農作業機は、機体と、この機体に回転可能に設けられ、回転しながら耕耘作業をする耕耘体と、この耕耘体の後方で整地作業をする整地体とを備え、前記耕耘体は、前記機体に回転可能に設けられた回転軸と、この回転軸の外周面に突設され、第１耕耘爪取付部および第２耕耘爪取付部を有する板状のフランジと、前記第１耕耘爪取付部に脱着可能に取り付けられた第１耕耘爪と、前記第２耕耘爪取付部に脱着可能に取り付けられ、前記第１耕耘爪とは異なる形状の第２耕耘爪とを有し、前記フランジには、耕耘爪用目印が設けられているものである。
【０００９】
請求項２記載の農作業機は、請求項１記載の農作業機において、耕耘爪用目印は、フランジの第１耕耘爪取付部に設けられているものである。
【００１０】
請求項３記載の農作業機は、請求項２記載の農作業機において、耕耘爪用目印は、フランジの第１耕耘爪取付部に取り付けられた第１耕耘爪と側面視で重なるように設けられているものである。
【００１１】
請求項４記載の農作業機は、請求項１記載の農作業機において、耕耘爪用目印は、フランジの第２耕耘爪取付部に設けられているものである。
【００１２】
請求項５記載の農作業機は、請求項４記載の農作業機において、耕耘爪用目印は、フランジの第２耕耘爪取付部に取り付けられた第２耕耘爪と側面視で重なるように設けられているものである。
【００１３】
請求項６記載の農作業機は、請求項１ないし５のいずれか一記載の農作業機において、第１耕耘爪の色と第２耕耘爪の色とが、互いに異なっているものである。
【発明の効果】
【００１４】
本発明によれば、例えば耕耘爪の交換時等において、耕耘爪の付け間違いを抑制できる。
【図面の簡単な説明】
【００１５】
【図１】本発明の第１の実施の形態に係る農作業機の側面図である。
【図２】同上農作業機の耕耘体の平面図である。
【図３】同上農作業機の耕耘体の側面図である。
【図４】同上耕耘体のフランジの側面図である。
【図５】本発明の第２の実施の形態に係る農作業機の耕耘体の側面図である。
【図６】同上耕耘体のフランジの側面図である。
【図７】本発明の第３の実施の形態に係る農作業機の耕耘体のフランジの側面図である。
【図８】本発明の第４の実施の形態に係る農作業機の耕耘体のフランジの側面図である。
【図９】本発明の第５の実施の形態に係る農作業機の耕耘体のフランジの側面図である。
【図１０】同上耕耘体のフランジの背面図である。
【発明を実施するための形態】
【００１６】
本発明の第１の実施の形態について図１ないし図４を参照して説明する。
【００１７】
図１および図２において、１は農作業機で、この農作業機１は、例えば走行車であるトラクタ（図示せず）の後部に連結されて使用される耕耘整地作業機（ロータリー）である。つまり、農作業機１は、トラクタの後部に連結された状態で、トラクタの走行により進行方向である前方（図１上、左方向）に向かって圃場上を移動しながら耕耘整地作業等をするものである。
【００１８】
農作業機１は、図示しないトラクタの後部の３点リンク部（農作業機昇降装置）に脱着可能に連結された機体２と、機体２に回転可能に設けられトラクタ側から動力を受けて所定方向に回転しながら耕耘作業をする耕耘体３と、機体２の耕耘体カバー部６の後端部に左右方向の軸（回動支点）７を中心として上下方向に回動可能に設けられ耕耘体３の後方で整地作業をする１枚板状の整地体（均平板）４とを備えている。
【００１９】
機体２は、左右方向長手状で円筒状のフレーム部であるフレームパイプ部11を有している。フレームパイプ部11の左右方向中央部にはギアボックス部12が設けられ、このギアボックス部12から入力軸13が前方に向かって突出している。入力軸13は、トラクタのＰＴＯ軸（図示せず）に、ユニバーサルジョイントおよび伝動シャフト等にて構成された伝動手段（図示せず）を介して接続されている。
【００２０】
フレームパイプ部11の長手方向一端部である左端部には、上下方向長手状でかつ箱状の耕耘体支持部であるチェーンケース部（サイド伝動ケース部）16の上部が取り付けられている。フレームパイプ部11の長手方向他端部である右端部には、上下方向長手状でかつ板状の耕耘体支持部であるブラケット部（サイドフレーム部）17の上部が取り付けられている。そして、互いに離間対向する左右のチェーンケース部16およびブラケット部17に耕耘体３が回転可能に架設されている。つまり、所定距離を介して互いに離間対向する左右１対の耕耘体支持部16，17にて、左右方向長手状の耕耘体３が回転可能に支持されている。なお、チェーンケース部16の後端部およびブラケット部17の後端部には、サイドカバー板（後側板）20が取り付けられている。
【００２１】
また、機体２の耕耘体カバー部６は、耕耘体３の上方部を覆う湾曲板状のカバー本体板18と、このカバー本体板18の左右方向両端部に鉛直状に設けられた細長板状のカバー側板19とを有している。そして、耕耘体カバー部６のカバー本体板18の後端部に整地体４の前端部（上端部）が軸７を中心として回動可能に取り付けられている。なお、左側のカバー側板19はチェーンケース部16の上部内面に互いに重なり合うように取り付けられ、右側のカバー側板19はブラケット部17の上部内面に互いに重なり合うように取り付けられている。
【００２２】
耕耘体３は、左側のチェーンケース部16の下部と右側のブラケット部17の下部とにて回転可能に支持された左右方向の耕耘軸である回転軸21を有している。つまり、耕耘体３は、機体２に回転可能に設けられた左右方向に細長い円筒状の回転軸21を有している。回転軸21の軸方向一端部である左端部はチェーンケース部16の下部にてベアリング22aを介して回転可能に支持され、かつ、回転軸21の軸方向他端部である右端部はブラケット部17の下部にてベアリング22bを介して回転可能に支持されている。
【００２３】
そして、回転軸21は、入力軸13に接続された動力伝達手段23から動力を受けて左右方向の回転中心軸線ａを中心として所定方向に駆動回転する。動力伝達手段23は、入力軸13に固着された第１ギア24と、この第１ギア24と噛み合った第２ギア25と、この第２ギア25が一端部に固着された伝動シャフト26と、この伝動シャフト26の他端部に固着された第１スプロケット27と、回転軸21のうちチェーンケース部16内に位置する端部に固着された第２スプロケット28と、これら両スプロケット27，28に掛け渡されチェーンケース部16内に位置するチェーン29とを有している。
【００２４】
また、回転軸21の外周面における左右方向に等間隔をおいた複数箇所には、略矩形状をなす板状のフランジ30がそれぞれ溶接等により固定的に突設されている。なお、各フランジ30の中央部には軸挿通用孔30aが形成され、この軸挿通用孔30aに回転軸21が挿通固定されている。
【００２５】
そして、図３および図４に示すように、フランジ30は、複数、すなわち例えば２つの第１耕耘爪取付部31および複数、すなわち例えば２つの第２耕耘爪取付部32を有し、各第１耕耘爪取付部31には回転軸21とともに回転しながら耕耘作業をする第１耕耘爪（例えば左曲がりの左耕耘爪）36が取付手段33にて脱着可能に取り付けられ、各第２耕耘爪取付部32には回転軸21とともに回転しながら耕耘作業をする第２耕耘爪（例えば右曲がりの右耕耘爪）37が取付手段33にて脱着可能に取り付けられている。なお、第１耕耘爪36と第２耕耘爪37とは、例えば左右対称形状で、互いに異なる形状をなすものである。
【００２６】
ここで、フランジ30の一側面（一方面）における一部分（図３上、左上部分）とフランジ30の他側面（他方面）における一部分（図３上、右下部分）とが第１耕耘爪取付部（第１耕耘爪取付面部）31となっており、これら互いに異なる面に位置する２つの第１耕耘爪取付部31は、側面視で回転中心軸線ａを中心として点対称に位置している。また、フランジ30のうち各第１耕耘爪取付部31に対応する位置には、互いに所定距離だけ離れた１対のボルト挿通用孔34が形成されている。
【００２７】
また、フランジ30の一側面における一部分（図３上、左下部分）とフランジ30の他側面における一部分（図３上、右上部分）とが第２耕耘爪取付部（第２耕耘爪取付面部）32となっており、これら互いに異なる面に位置する２つの第２耕耘爪取付部32は、側面視で回転中心軸線ａを中心として点対称に位置している。また、フランジ30のうち各第２耕耘爪取付部32に対応する位置には、互いに所定距離だけ離れた１対のボルト挿通用孔35が形成されている。
【００２８】
さらに、第１耕耘爪（左耕耘爪）36は、第１耕耘爪取付部31にこの第１耕耘爪取付部31に沿って取り付けられた取付部である平面状部36aを基端側に有し、左側に向かって曲がった曲面状部36bを先端側に有している。なお、各第１耕耘爪36の平面状部36aには、フランジ30のボルト挿通用孔34と対向する１対のボルト挿通用孔（図示せず）が形成されている。
【００２９】
第２耕耘爪（右耕耘爪）37は、第２耕耘爪取付部32にこの第２耕耘爪取付部32に沿って取り付けられた取付部である平面状部37aを基端側に有し、右側に向かって曲がった曲面状部37bを先端側に有している。なお、各第２耕耘爪37の平面状部37aには、フランジ30のボルト挿通用孔35と対向する１対のボルト挿通用孔（図示せず）が形成されている。
【００３０】
そして、第１耕耘爪36の全体の色と第２耕耘爪37の全体の色とが互いに異なっている。すなわち例えば、第１耕耘爪36の表面全体が黒色であり、第２耕耘爪37の表面全体が白色である。
【００３１】
また、取付手段33は、略矩形板状の平板41と、この平板41の長手方向両端部に固定され互いに所定距離だけ離れた１対の固定ボルト42と、この各固定ボルト42に螺合されるナット43とを有している。
【００３２】
そして、取付手段33の固定ボルト42が第１耕耘爪36のボルト挿通用孔およびフランジ30のボルト挿通用孔34に挿通され、この挿通された固定ボルト42にナット43が螺合され、このナット43の螺合により第１耕耘爪36がフランジ30の第１耕耘爪取付部31に脱着可能に取り付けられている。また同様に、取付手段33の固定ボルト42が第２耕耘爪37のボルト挿通用孔およびフランジ30のボルト挿通用孔35に挿通され、この挿通された固定ボルト42にナット43が螺合され、このナット43の螺合により第２耕耘爪37がフランジ30の第２耕耘爪取付部32に脱着可能に取り付けられている。
【００３３】
なお、回転軸21の左右方向両端部に設けられた端部フランジ46には、第１耕耘爪36および第２耕耘爪37とは異なる特殊な形状の端部耕耘爪47が脱着可能に取り付けられている（図２参照）。
【００３４】
整地体４は、図１に示されるように、機体２の耕耘体カバー部６のカバー本体板18の後端部に軸７を中心として上下方向に回動可能に取り付けられた整地本体板51を有している。整地本体板51の左右方向両端部には、細長板状の整地側板52が鉛直状に設けられている。また、整地本体板51の左右方向両端側には、延長整地板56が折畳み可能に設けられている。
【００３５】
なお、農作業機１は、整地体４のメンテナンス作業状態時にこの整地体４を機体２に対して解除可能にロックするロック手段53を備えている。また、機体２の前端部には、ゲージ輪54がゲージ輪支持手段55を介して高さ位置調整可能に取り付けられている。
【００３６】
次に、農作業機１の作用等を説明する。
【００３７】
トラクタの走行により農作業機１全体を前方に移動させると、耕耘体３が所定方向に回転しながら耕耘作業をし、この耕耘体３の後方で整地体４が整地作業をする。つまり、耕耘体３の第１耕耘爪36および第２耕耘爪37等にて耕耘作業が行われ、整地体４の整地本体板51等にて整地作業が行われる。
【００３８】
ここで、例えば長期使用等により第１耕耘爪36および第２耕耘爪37が磨耗したため、これら磨耗した古い耕耘爪36，37を新しい耕耘爪36，37に交換する場合には、作業者（取付作業者）は、古い第１耕耘爪36および第２耕耘爪37を第１耕耘爪取付部31および第２耕耘爪取付部32からそれぞれ取り外した後、新しい第１耕耘爪36および第２耕耘爪37を第１耕耘爪取付部31および第２耕耘爪取付部32にそれぞれ取り付ける。
【００３９】
そして、この農作業機１によれば、第１耕耘爪36の色と第２耕耘爪37の色とが互いに異なっているため、例えば耕耘爪36，37の交換時や農作業機１の製造時等において、第１耕耘爪36を間違えてフランジ30の第２耕耘爪取付部32に取り付けたり第２耕耘爪37を間違えてフランジ30の第１耕耘爪取付部31に取り付けたりする耕耘爪36，37の付け間違いを抑制できる。
【００４０】
また、耕耘爪36，37の色を見て、第１耕耘爪36であるか第２耕耘爪37であるかを容易かつ適切に判断できるため、耕耘爪36，37の取付作業を効率良く行うことができる。すなわち例えば、耕耘爪36，37に付された打刻文字や、耕耘爪36，37の形状によって、第１耕耘爪36であるか第２耕耘爪37であるかを判断する必要がなく、色のみで耕耘爪36，37の種類を見分けることができ、よって効率的に耕耘爪36，37の取付作業ができる。
【００４１】
次に、図５および図６には、第２の実施の形態に係る農作業機１の例が示されている。
【００４２】
この第２の実施の形態に係る農作業機１の耕耘体３は、作業者（取付作業者）が第１耕耘爪36をフランジ30の第１耕耘爪取付部31に取り付けるようにするための第１耕耘爪用目印61と、作業者（取付作業者）が第２耕耘爪37をフランジ30の第２耕耘爪取付部32に取り付けるようにするための第２耕耘爪用目印62とを有している。
【００４３】
第１耕耘爪用目印61は、第１耕耘爪取付部31に設けられ第１耕耘爪取付部31が第１耕耘爪36を取り付けるべき部分であることを作業者に知らせるための文字表示である。この文字表示は、例えば第１耕耘爪取付部31に付された打刻文字「Ｌ」である。この打刻文字「Ｌ」は、第１耕耘爪取付部31のうち１対のボルト挿通用孔34間の部分に付されている。
【００４４】
また、第２耕耘爪用目印62は、第２耕耘爪取付部32に設けられ第２耕耘爪取付部32が第２耕耘爪37を取り付けるべき部分であることを作業者に知らせるための文字表示である。この文字表示は、例えば第２耕耘爪取付部32に付された打刻文字「Ｒ」である。この打刻文字「Ｒ」は、第２耕耘爪取付部32のうち１対のボルト挿通用孔35間の部分に付されている。
【００４５】
さらに、打刻文字からなる第１耕耘爪用目印61の全体の色は、第１耕耘爪36の色と同じで、例えば黒色である。打刻文字からなる第２耕耘爪用目印62の全体の色は、第２耕耘爪37の色と同じで、例えば白色である。つまり、第１耕耘爪用目印61の色と第２耕耘爪用目印62の色とが互いに異なっている。また、これら耕耘爪用目印61，62は、作業者が耕耘爪36，37を取り付ける際に取付側から見て読めるようになっている。なお、その他の構成は第１の実施の形態と基本的に同一である。
【００４６】
そして、この農作業機１によれば、耕耘体３が第１耕耘爪用目印61および第２耕耘爪用目印62を有するため、例えば耕耘爪36，37の交換時や農作業機１の製造時等において、第１耕耘爪36を間違えてフランジ30の第２耕耘爪取付部32に取り付けたり第２耕耘爪37を間違えてフランジ30の第１耕耘爪取付部31に取り付けたりする耕耘爪36，37の付け間違いを抑制できる。
【００４７】
また、打刻文字からなる耕耘爪用目印61，62によって、耕耘爪36，37の取付面および取付位置を容易かつ適切に判断できるため、耕耘爪36，37の取付作業を効率良く行うことができる。
【００４８】
さらに、第１耕耘爪36の色と第２耕耘爪37の色とが互いに異なっており、しかも、第１耕耘爪用目印61の色が第１耕耘爪36の色と同じであり、第２耕耘爪用目印62の色が第２耕耘爪37の色と同じであるため、耕耘爪36，37の付け間違いをより効果的に抑制できるとともに、耕耘爪36，37の取付作業をより効率良く行うことができる。
【００４９】
なお、第１耕耘爪用目印61の色が第１耕耘爪36の色と異なり、第２耕耘爪用目印62の色が第２耕耘爪37の色と異なるようにしてもよい。また、例えば第１耕耘爪36の色と第２耕耘爪37の色とが同じであってもよい。さらに、例えば「Ｌ」や「Ｒ」の打刻文字からなる耕耘爪用目印61，62については、特殊な色を付けなくてもよい。
【００５０】
次に、図７には、第３の実施の形態に係る農作業機１の例が示されている。
【００５１】
この第３の実施の形態に係る農作業機１の耕耘体３は、第２の実施の形態と同様、作業者（取付作業者）が第１耕耘爪36をフランジ30の第１耕耘爪取付部31に取り付けるようにするための第１耕耘爪用目印71と、作業者（取付作業者）が第２耕耘爪37をフランジ30の第２耕耘爪取付部32に取り付けるようにするための第２耕耘爪用目印72とを有している。
【００５２】
第１耕耘爪用目印71は、第１耕耘爪取付部31に設けられ第１耕耘爪取付部31が第１耕耘爪36を取り付けるべき部分であることを作業者に知らせるための色表示である。この色表示は、例えば第１耕耘爪取付部31に貼り付けられた円形状の黒色シールである。この黒色シールは、第１耕耘爪取付部31のうち１対のボルト挿通用孔34間の部分に貼り付けられている。
【００５３】
また、第２耕耘爪用目印72は、第２耕耘爪取付部32に設けられ第２耕耘爪取付部32が第２耕耘爪37を取り付けるべき部分であることを作業者に知らせるための色表示である。この色表示は、例えば第２耕耘爪取付部32に貼り付けられた円形状の白色シールである。この白色シールは、第２耕耘爪取付部32のうち１対のボルト挿通用孔35間の部分に貼り付けられている。
【００５４】
さらに、シールからなる第１耕耘爪用目印71の全体の色は、第１耕耘爪36の色と同じで、例えば黒色である。シールからなる第２耕耘爪用目印72の全体の色は、第２耕耘爪37の色と同じで、例えば白色である。つまり、第１耕耘爪用目印71の色と第２耕耘爪用目印72の色とが互いに異なっている。なお、その他の構成は第１の実施の形態と基本的に同一である。
【００５５】
そして、この農作業機１によれば、耕耘体３が第１耕耘爪用目印71および第２耕耘爪用目印72を有するため、例えば耕耘爪36，37の交換時や農作業機１の製造時等において、第１耕耘爪36を間違えてフランジ30の第２耕耘爪取付部32に取り付けたり第２耕耘爪37を間違えてフランジ30の第１耕耘爪取付部31に取り付けたりする耕耘爪36，37の付け間違いを抑制できる。
【００５６】
また、シールからなる耕耘爪用目印71，72によって、耕耘爪36，37の取付面および取付位置を容易かつ適切に判断できるため、耕耘爪36，37の取付作業を効率良く行うことができる。
【００５７】
さらに、第１耕耘爪36の色と第２耕耘爪37の色とが互いに異なっており、しかも、第１耕耘爪用目印71の色が第１耕耘爪36の色と同じであり、第２耕耘爪用目印72の色が第２耕耘爪37の色と同じであるため、耕耘爪36，37の付け間違いをより効果的に抑制できるとともに、耕耘爪36，37の取付作業をより効率良く行うことができる。
【００５８】
なお、第１耕耘爪用目印71の色が第１耕耘爪36の色と異なり、第２耕耘爪用目印72の色が第２耕耘爪37の色と異なるようにしてもよい。また例えば第１耕耘爪36の色と第２耕耘爪37の色とが同じであってもよい。
【００５９】
次に、図８には、第４の実施の形態に係る農作業機１の例が示されている。
【００６０】
この第４の実施の形態に係る農作業機１の耕耘体３は、第２の実施の形態と同様、作業者（取付作業者）が第１耕耘爪36をフランジ30の第１耕耘爪取付部31に取り付けるようにするための第１耕耘爪用目印81と、作業者（取付作業者）が第２耕耘爪37をフランジ30の第２耕耘爪取付部32に取り付けるようにするための第２耕耘爪用目印82とを有している。
【００６１】
第１耕耘爪用目印81は、第１耕耘爪取付部31に設けられ第１耕耘爪取付部31が第１耕耘爪36を取り付けるべき部分であることを作業者に知らせるための色表示である。この色表示は、例えば第１耕耘爪取付部31に塗り付けられた略ひし形状の黒色塗装である。この黒色塗装は、第１耕耘爪取付部31の略全体にわたって塗り付けられている。
【００６２】
また、第２耕耘爪用目印82は、第２耕耘爪取付部32に設けられ第２耕耘爪取付部32が第２耕耘爪37を取り付けるべき部分であることを作業者に知らせるための色表示である。この色表示は、例えば第２耕耘爪取付部32に塗り付けられた略ひし形状の白色塗装である。この白色塗装は、第２耕耘爪取付部32の略全体にわたって塗り付けられている。
【００６３】
さらに、塗装からなる第１耕耘爪用目印81の全体の色は、第１耕耘爪36の色と同じで、例えば黒色である。塗装からなる第２耕耘爪用目印82の全体の色は、第２耕耘爪37の色と同じで、例えば白色である。つまり、第１耕耘爪用目印81の色と第２耕耘爪用目印82の色とが互いに異なっている。なお、その他の構成は第１の実施の形態と基本的に同一である。
【００６４】
そして、この農作業機１によれば、耕耘体３が第１耕耘爪用目印81および第２耕耘爪用目印82を有するため、例えば耕耘爪36，37の交換時や農作業機１の製造時等において、第１耕耘爪36を間違えてフランジ30の第２耕耘爪取付部32に取り付けたり第２耕耘爪37を間違えてフランジ30の第１耕耘爪取付部31に取り付けたりする耕耘爪36，37の付け間違いを抑制できる。
【００６５】
また、塗装からなる耕耘爪用目印81，82によって、耕耘爪36，37の取付面および取付位置を容易かつ適切に判断できるため、耕耘爪36，37の取付作業を効率良く行うことができる。
【００６６】
さらに、第１耕耘爪36の色と第２耕耘爪37の色とが互いに異なっており、しかも、第１耕耘爪用目印81の色が第１耕耘爪36の色と同じであり、第２耕耘爪用目印82の色が第２耕耘爪37の色と同じであるため、耕耘爪36，37の付け間違いをより効果的に抑制できるとともに、耕耘爪36，37の取付作業をより効率良く行うことができる。
【００６７】
なお、第１耕耘爪用目印81の色が第１耕耘爪36の色と異なり、第２耕耘爪用目印82の色が第２耕耘爪37の色と異なるようにしてもよい。また例えば第１耕耘爪36の色と第２耕耘爪37の色とが同じであってもよい。
【００６８】
次に、図９および図１０には、第５の実施の形態に係る農作業機１の例が示されている。
【００６９】
この第５の実施の形態に係る農作業機１の耕耘体３は、第２の実施の形態と同様、作業者（取付作業者）が第１耕耘爪36をフランジ30の第１耕耘爪取付部31に取り付けるようにするための第１耕耘爪用目印91と、作業者（取付作業者）が第２耕耘爪37をフランジ30の第２耕耘爪取付部32に取り付けるようにするための第２耕耘爪用目印92とを有している。
【００７０】
第１耕耘爪用目印91は、第１耕耘爪取付部31の反対側の面にその第１耕耘爪取付部31と対応する位置に設けられ第１耕耘爪取付部31が第１耕耘爪36を取り付けるべき部分であることを作業者に知らせるための突起（溶接肉）である。つまり、この突起からなる第１耕耘爪用目印91が第１耕耘爪取付部31の反対側の面において１対のボルト挿通用孔34間の位置に設けられているため、第１耕耘爪36を間違って第１耕耘爪取付部31の反対側の面に取り付けようとすると、第１耕耘爪36が第１耕耘爪用目印91に当たり、第１耕耘爪36を適正な状態に取り付けることができない。
【００７１】
また、第２耕耘爪用目印92は、第２耕耘爪取付部32の反対側の面にその第２耕耘爪取付部32と対応する位置に設けられ第２耕耘爪取付部32が第２耕耘爪37を取り付けるべき部分であることを作業者に知らせるための突起（溶接肉）である。つまり、この突起からなる第２耕耘爪用目印92が第２耕耘爪取付部32の反対側の面において１対のボルト挿通用孔35間の位置に設けられているため、第２耕耘爪37を間違って第２耕耘爪取付部32の反対側の面に取り付けようとすると、第２耕耘爪37が第２耕耘爪用目印92に当たり、第２耕耘爪37を適正な状態に取り付けることができない。なお、その他の構成は第１の実施の形態と基本的に同一である。
【００７２】
そして、この農作業機１によれば、耕耘体３が第１耕耘爪用目印91および第２耕耘爪用目印92を有するため、例えば耕耘爪36，37の交換時や農作業機１の製造時等において、第１耕耘爪36を間違えてフランジ30の第２耕耘爪取付部32に取り付けたり第２耕耘爪37を間違えてフランジ30の第１耕耘爪取付部31に取り付けたりする耕耘爪36，37の付け間違いを抑制できる。
【００７３】
しかも、突起からなる耕耘爪用目印91，92があるため、第１耕耘爪36を間違って第１耕耘爪取付部31の反対側の面に取り付けたり第２耕耘爪37を間違って第２耕耘爪取付部32の反対側の面に取り付けたりする耕耘爪36，37の付け間違いも抑制できる。
【００７４】
また、突起からなる耕耘爪用目印91，92によって、耕耘爪36，37の取付面および取付位置を容易かつ適切に判断できるため、耕耘爪36，37の取付作業を効率良く行うことができる。
【００７５】
さらに、第１耕耘爪36の色と第２耕耘爪37の色とが互いに異なっており、しかも、耕耘爪用目印91，92が突起からなるため、耕耘爪36，37の付け間違いをより効果的に抑制できるとともに、耕耘爪36，37の取付作業をより効率良く行うことができる。
【００７６】
なお、第１耕耘爪用目印91の色が第１耕耘爪36の色と同じであることが好ましいが違ってもよく、第２耕耘爪用目印92の色が第２耕耘爪37の色と同じであることが好ましいが違ってもよい。また例えば第１耕耘爪36の色と第２耕耘爪37の色とが同じであってもよい。
【００７７】
また、例えば回転軸21の外周面にフランジ30を溶接により固定する際に、フランジ30の所定位置に溶接肉を盛るようにして耕耘爪用目印91，92となる突起を設けることが好ましいが、例えばフランジ30の所定位置に予め形成した孔にピン等の部材を嵌入して耕耘爪用目印91，92となる突起を設けるようにしてもよい。
【００７８】
なお、耕耘爪36，37等の色は黒色や白色には限定されず、例えば第１耕耘爪が赤色で第２耕耘爪が青色である構成でもよく、またこれに対応して第１耕耘爪用目印が赤色で第２耕耘爪用目印が青色である構成等でもよい。
【００７９】
また、例えば第２の実施の形態において、耕耘爪用目印61，62である文字表示は、耕耘爪36，37に対応するものであれば、「左」・「右」や、「黒」・「白」等でもよく、さらにこれら文字表示に耕耘爪36，37に対応した色を付けるようにしてもよい。
【００８０】
さらに、上記各実施の形態を適宜組み合わせるようにしてもよく、例えば耕耘爪用目印として文字表示および色表示の両方を設けたり、文字表示および色表示の少なくとも一方と突起とを設けたりしてもよい。
【符号の説明】
【００８１】
１    農作業機
２    機体
３    耕耘体
４    整地体
21    回転軸
30    フランジ
31    第１耕耘爪取付部
32    第２耕耘爪取付部
33    取付手段
34    ボルト挿通用孔
36    第１耕耘爪
37    第２耕耘爪
41    平板
42    固定ボルト
43    ナット
61，71，81，91    第１耕耘爪用目印
62，72，82，92    第２耕耘爪用目印
【図１】
2015180232.tif 000003
【図２】
2015180232.tif 000004
【図３】
2015180232.tif 000005
【図４】
2015180232.tif 000006
【図５】
2015180232.tif 000007
【図６】
2015180232.tif 000008
【図７】
2015180232.tif 000009
【図８】
2015180232.tif 000010
【図９】
2015180232.tif 000011
【図１０】
2015180232.tif 000012